(57)【要約】  本発明は、高断熱性を保持しつつ高い採光効率が得られ、快適な室内環境を実現できる採光装置及びスクリーンを提供することを目的とする。本発明の一態様による採光装置は、光透過領域（Ｒ１）を有する第１部と、前記第１部とは間隔をおいて配置されるとともに光拡散領域（Ｒ２）を有する第２部と、前記第１部と前記第２部との間に形成される内部空間（Ｋ）と、を少なくとも備える。
2016121679.tif 000002
【特許請求の範囲】
【請求項１】
光透過領域を有する第１部と、
前記第１部とは間隔をおいて配置されるとともに光拡散領域を有する第２部と、
前記第１部と前記第２部との間に形成される内部空間と、を少なくとも備える採光装置。
【請求項２】
前記光透過領域は、外部から入射した光を前記内部空間へ透過させ、
前記光拡散領域は、前記内部空間へ透過した前記光を拡散させて外部空間へと透過させる請求項１に記載の採光装置。
【請求項３】
前記第１部、前記第２部および前記内部空間を有する筒状体を複数の備え、
前記複数の筒状体は、前記筒状体の延在方向に交差する方向に配列されているとともにその配列方向に互いに連結される請求項１または２に記載の採光装置。
【請求項４】
前記複数の筒状体は、当該複数の筒状体の配列方向に折り畳み可能に構成されている
請求項３に記載の採光装置。
【請求項５】
前記筒状体の延在方向に交差する断面形状が多角形である
請求項３または４に記載の採光装置。
【請求項６】
前記筒状体の延在方向に交差する断面形状が六角形あるいは平行四角形である
請求項５に記載の採光装置。
【請求項７】
前記筒状体の断面において、前記配列方向に垂直な下面の寸法をＳ２、前記下面に隣り合う側面の寸法をＳ１とすると、前記筒状体の寸法比が、Ｓ１／Ｓ２≦１の関係を満たす
請求項３から６のいずれか一項に記載の採光装置。
【請求項８】
前記筒状体は、前記下面に反射領域を有している
請求項７に記載の採光装置。
【請求項９】
前記筒状体の断面において、前記配列方向に垂直な下面の寸法をＳ２、前記下面に隣り合う側面の寸法をＳ１とすると、前記筒状体の寸法比が、Ｓ１／Ｓ２＞１の関係を満たす
請求項３から６のいずれか一項に記載の採光装置。
【請求項１０】
前記筒状体は、光透過性を有する基材と、前記基材の第１面における前記光透過領域に設けられた光透過性を有する複数の採光部と、を有する
請求項９に記載の採光装置。
【請求項１１】
前記配列方向に対する前記側面の傾斜角度が３０°以下である
請求項９または１０に記載の採光装置。
【請求項１２】
前記傾斜角度が２０°以下である
請求項１１に記載の採光装置。
【請求項１３】
複数の前記筒状体は、前記配列方向に全畳状態と全開状態との間で変化する構成とされている
請求項９から１２のいずれか一項に記載の採光装置。
【請求項１４】
前記複数の採光部の断面形状が１つの前記筒状体内で異なっている
請求項１０から１３のいずれか一項に記載の採光装置。
【請求項１５】
前記採光部の断面形状が前記配列方向で隣り合う前記筒状体どうしの間で異なっている
請求項１０から１３のいずれか一項に記載の採光装置。
【請求項１６】
前記筒状体の前記第１部の断面形状と前記第２部の断面形状とが互いに異なっている
請求項１０から１３のいずれか一項に記載の採光装置。
【請求項１７】
前記筒状体の断面形状が多角形状をなし、
前記第１部を構成する一対の側面同士がなす角度と、
前記第２部を構成する一対の側面同士がなす角度と、が互いに異なる
請求項１６に記載の採光装置。
【請求項１８】
前記複数の筒状体の各々には、前記配列方向に交差する方向に折り目が設けられており、
前記筒状体に係止することで前記複数の筒状体における前記折り目のピッチを保持する保持部材を備えている
請求項４から１７のいずれか一項に記載の採光装置。
【請求項１９】
前記保持部材は、前記複数の筒状体の各々に係止する係止部を複数有しており、
前記係止部に光反射性あるいは光吸収性が付与されている
請求項１８に記載の採光装置。
【請求項２０】
前記内部空間へ入射した前記光の一部を吸収する光吸収領域を有する第３部をさらに備える
請求項１から１９のいずれか一項に記載の採光装置。
【請求項２１】
２つの前記筒状体の連結部分において、
一方の前記筒状体の前記内部空間側の面に反射性が付与されている
請求項３から１７のいずれか一項に記載の採光装置。
【請求項２２】
２つの前記筒状体の連結部分において、
他方の前記筒状体の前記内部空間側の面に光吸収性が付与されている
請求項２１に記載の採光装置。
【請求項２３】
前記第１部と前記第２部とは前記内部空間を介して互いに対向配置され、
前記第１部及び前記第２部は、各々に設けられた複数の折り目によって折り畳み可能に構成されている
請求項１または２に記載の採光装置。
【請求項２４】
前記光拡散領域は、前記光の光軸に交差する水平方向に光を拡散させる特性を有している
請求項１から２３のいずれか一項に記載の採光装置。
【請求項２５】
前記第１部及び前記第２部の少なくとも幅方向両側にフレームが設けられている
請求項１から２４のいずれか一項に記載の採光装置。
【請求項２６】
前記第２部の表面に化粧フィルムが貼り合わされている
請求項１から２５のいずれか一項に記載の採光装置。
【請求項２７】
一方向へ折り畳み可能なスクリーン本体と、
前記スクリーン本体を伸縮可能に保持する保持機構と、
前記スクリーン本体が、請求項１から２６のいずれか一項に記載の採光装置を含むスクリーン。
【請求項２８】
第１の前記スクリーン本体とは異なる機能を有する第２のスクリーン本体と、
前記第１のスクリーン本体と前記第２のスクリーン本体との間に設けられる中間部材と、をさらに備えた
請求項２７に記載のスクリーン。
【請求項２９】
互いに異なる機能性を有した複数の前記第２のスクリーン本体を備えた
請求項２８に記載のスクリーン。
【請求項３０】
前記第２のスクリーン本体には、遮光性、紫外線吸収性、防火性、遮熱性、防汚性のうちの少なくとも一つの機能性が付与されている
請求項２８または２９に記載のスクリーン。
【発明の詳細な説明】
【技術分野】
【０００１】
本発明は、採光装置、スクリーンに関するものである。
本願は、２０１５年１月２６日に、日本に出願された特願２０１５−０１２２８０号に基づき優先権を主張し、その内容をここに援用する。
【背景技術】
【０００２】
従来、窓付近の断熱性能を向上させるために、筒状体を複数配列してなる中空構造のスクリーンがいくつか提案されている（特許文献１〜３）。採光性を重視したものも存在するが、採光性能として十分ではない。スクリーンの素材として、綿、麻、絹などの天然繊維、ポリエステル及びアクリル等の合成繊維、レーヨン等の再生繊維がよく使用されるが、繊維状であるため拡散性が強く、光の透過率が高くない。そのため、スクリーンの表面で太陽光が反射して、室内へ入射しないこともある。また、室内に入射した光であっても天井を経由せず、作業面を直接照射して、作業している人が眩しさを感じる。
【先行技術文献】
【特許文献】
【０００３】
【特許文献１】特開２０１４−９５２５５号公報
【特許文献２】特開平０６−２９９７６７号公報
【特許文献３】特開２０１４−１６３１３１号公報
【発明の概要】
【発明が解決しようとする課題】
【０００４】
上述したような従来の中空構造のスクリーンでは、光の質及び光量ともに、快適な採光環境を提供することが難しい。【０００５】
本発明の一つの態様は、上記従来技術の問題点に鑑み成されたものであって、高断熱性を保持しつつ高い採光効率が得られ、快適な室内環境を実現できる採光装置及びスクリーンを提供することができる。
【課題を解決するための手段】
【０００６】
本発明の一つの態様の採光装置は、上記課題を解決するために、光透過領域を有する第１部と、前記第１部とは間隔をおいて配置されるとともに光拡散領域を有する第２部と、前記第１部と前記第２部との間に形成される内部空間と、を少なくとも備える。【０００７】
また、本発明の一つの態様の採光装置において、前記光透過領域は、外部から入射した光を前記内部空間へ透過させ、前記光拡散領域は、前記内部空間へ透過した前記光を拡散させて外部空間へと透過させる構成としてもよい。【０００８】
また、本発明の一つの態様の採光装置において、前記第１部、前記第２部および前記内部空間を有する筒状体を複数の備え、前記複数の筒状体は、前記筒状体の延在方向に交差する方向に配列されているとともにその配列方向に互いに連結されている構成としてもよい。【０００９】
また、本発明の一つの態様の採光装置において、前記複数の筒状体は、当該複数の筒状体の配列方向に折り畳み可能に構成されている構成としてもよい。【００１０】
また、本発明の一つの態様の採光装置において、前記筒状体の延在方向に交差する断面形状が多角形である構成としてもよい。【００１１】
また、本発明の一つの態様の採光装置において、前記筒状体の延在方向に交差する断面形状が六角形あるいは平行四角形である構成としてもよい。【００１２】
また、本発明の一つの態様の採光装置において、前記筒状体の断面において、前記配列方向に垂直な下面の寸法をＳ２、前記下面に隣り合う側面の寸法をＳ１とすると、前記筒状体の寸法比が、Ｓ１／Ｓ２≦１の関係を満たす構成としてもよい。【００１３】
また、本発明の一つの態様の採光装置において、前記筒状体は、前記下面に反射領域を有している構成としてもよい。【００１４】
また、本発明の一つの態様の採光装置において、前記筒状体の断面において、前記配列方向に垂直な下面の寸法をＳ２、前記下面に隣り合う側面の寸法をＳ１とすると、前記筒状体の寸法比が、Ｓ１／Ｓ２＞１の関係を満たす構成としてもよい。【００１５】
また、本発明の一つの態様の採光装置において、前記筒状体は、光透過性を有する基材と、前記基材の第１面における前記光透過領域に設けられた光透過性を有する複数の採光部と、を有する構成としてもよい。【００１６】
また、本発明の一つの態様の採光装置において、前記配列方向に対する前記側面の傾斜角度が３０°以下である構成としてもよい。【００１７】
また、本発明の一つの態様の採光装置において、前記傾斜角度が２０°以下である構成としてもよい。【００１８】
また、本発明の一つの態様の採光装置において、複数の前記筒状体は、前記配列方向に全畳状態と全開状態との間で変化する構成とされている構成としてもよい。【００１９】
また、本発明の一つの態様の採光装置において、前記複数の採光部の断面形状が１つの前記筒状体内で異なっている構成としてもよい。【００２０】
また、本発明の一つの態様の採光装置において、前記採光部の断面形状が前記配列方向で隣り合う前記筒状体どうしの間で異なっている構成としてもよい。【００２１】
また、本発明の一つの態様の採光装置において、前記筒状体の前記第１部の断面形状と前記第２部の断面形状とが互いに異なっている構成としてもよい。【００２２】
また、本発明の一つの態様の採光装置において、前記筒状体の断面形状が多角形状をなし、前記第１部を構成する一対の側面同士がなす角度と、前記第２部を構成する一対の側面同士がなす角度と、が互いに異なる構成としてもよい。【００２３】
また、本発明の一つの態様の採光装置において、前記複数の筒状体の各々には、前記配列方向に交差する方向に折り目が設けられており、前記筒状体に係止することで前記複数の筒状体における前記折り目のピッチを保持する保持部材を備えている構成としてもよい。【００２４】
また、本発明の一つの態様の採光装置において、前記保持部材は、前記複数の筒状体の各々に係止する係止部を複数有しており、前記係止部に光反射性あるいは光吸収性が付与されている構成としてもよい。【００２５】
また、本発明の一つの態様の採光装置において、前記内部空間へ入射した前記光の一部を吸収する光吸収領域を有する第３部をさらに備える構成としてもよい。【００２６】
また、本発明の一つの態様の採光装置において、２つの前記筒状体の連結部分において、一方の前記筒状体の前記内部空間側の面に反射性が付与されている構成としてもよい。【００２７】
また、本発明の一つの態様の採光装置において、２つの前記筒状体の連結部分において、他方の前記筒状体の前記内部空間側の面に光吸収性が付与されている構成としてもよい。【００２８】
また、本発明の一つの態様の採光装置において、前記第１部と前記第２部とは前記内部空間を介して互いに対向配置され、前記第１部及び前記第２部は、各々に設けられた複数の折り目によって折り畳み可能な構成としてもよい。【００２９】
また、本発明の一つの態様の採光装置において、前記光拡散領域は、前記光の光軸に交差する水平方向に光を拡散させる特性を有している構成としてもよい。【００３０】
また、本発明の一つの態様の採光装置において、前記第１部及び前記第２部の少なくとも幅方向両側にフレームが設けられている構成としてもよい。【００３１】
また、本発明の一つの態様の採光装置において、前記第２部の表面に化粧フィルムが貼り合わされている構成としてもよい。【００３２】
本発明の一つの態様のスクリーンは、一方向へ折り畳み可能なスクリーン本体と、前記スクリーン本体を伸縮可能に保持する保持機構と、前記スクリーン本体が、上記の採光装置を含む。【００３３】
また、本発明の一つの態様のスクリーンにおいて、第１の前記スクリーン本体とは異なる機能を有する第２のスクリーン本体と、前記第１のスクリーン本体と前記第２のスクリーン本体との間に設けられる中間部材と、をさらに備えた構成としてもよい。【００３４】
また、本発明の一つの態様のスクリーンにおいて、互いに異なる機能性を有した複数の前記第２のスクリーン本体を備えた構成としてもよい。【００３５】
また、本発明の一つの態様のスクリーンにおいて、前記第２のスクリーン本体には、遮光性、紫外線吸収性、防火性、遮熱性、防汚性のうちの少なくとも一つの機能性が付与されている構成としてもよい。
【発明の効果】
【００３６】
本発明の一つの態様は、光の質及び光量ともに、快適な採光環境を実現可能な採光装置及びスクリーンを提供できる。
【図面の簡単な説明】
【００３７】
【図１】第１実施形態におけるスクリーンの全体構成を示す斜視図。
【図２】複数の筒状体を有するスクリーンの要部を拡大して示す図。
【図３】筒状体の概略構成を示す図。
【図４】筒状体を上面側から見た図。
【図５Ａ】スクリーンの使用時を示す図。
【図５Ｂ】スクリーンの収納時を示す図。
【図６Ａ】筒状体を構成する基材を示す斜視図。
【図６Ｂ】筒状体の材料となる基材を示す側図。
【図６Ｃ】基材によって作製される筒状体を示す断面図。
【図７】筒状体を構成する基材を示す図。
【図８】第１実施形態のスクリーンの光学特性について説明するための図。
【図９Ａ】変形例１のスクリーン本体の作製方法を示す図。
【図９Ｂ】変形例１のスクリーン本体の概略構成を示す図。
【図１０Ａ】変形例２のスクリーン本体の作製方法を示す図。
【図１０Ｂ】変形例２のスクリーン本体の概略構成を示す図。
【図１１Ａ】変形例３のスクリーン本体を構成する筒状体の材料を示す図。
【図１１Ｂ】変形例３のスクリーン本体の概略構成を示す図。
【図１２】第２実施形態のスクリーン本体の一部を拡大して示す断面図。
【図１３Ａ】採光部材の構成を示す斜視図。
【図１３Ｂ】採光部の構成を示す断面図。
【図１４】採光部材を透過する光の光路を示す図。
【図１５】第２実施形態の変形例における光路を示す図。
【図１６】筒状体の光拡散領域の構成を示す斜視図。
【図１７】筒状体の光拡散領域における構造の変形例１を示す斜視図。
【図１８】筒状体の光拡散領域における構造の変形例２を示す斜視図。
【図１９】第３実施形態のスクリーン本体の一部を拡大して示す断面図。
【図２０】第３実施形態の筒状体を構成する基材を示す斜視図。
【図２１Ａ】第３実施形態におけるスクリーン本体の変形例を示す図であって、スクリーン本体の作製方法を示す図。
【図２１Ｂ】第３実施形態におけるスクリーン本体の変形例を示す図であって、変形例であるスクリーン本体の概略構成を示す図。
【図２２】自重の影響を受けたスクリーンの全体を示す図。
【図２３】第４実施形態のスクリーンの概略構成を示す斜視図。
【図２４】第５実施形態のスクリーンの概略構成を示し斜視図。
【図２５Ａ】第５実施形態におけるスクリーンの変形例を示す第１の図。
【図２５Ｂ】第５実施形態におけるスクリーンの変形例を示す第２の図。
【図２５Ｃ】第５実施形態におけるスクリーンの変形例を示す第３の図。
【図２５Ｄ】第５実施形態におけるスクリーンの変形例を示す第４の図。
【図２６Ａ】図２５Ｄに示したスクリーンの使用例を示す第１の図。
【図２６Ｂ】図２５Ｄに示したスクリーンの使用例を示す第２の図。
【図２６Ｃ】図２５Ｄに示したスクリーンの使用例を示す第３の図。
【図２７】第６実施形態におけるスクリーンの全体を示す図。
【図２８】第６実施形態における筒状体の構成を示す図。
【図２９】第７実施形態のスクリーンの概略構成を部分的に拡大して示す斜視図。
【図３０】第７実施形態のスクリーンの変形例を示す斜視図。
【図３１】第８実施形態におけるスクリーンの概略構成を示す斜視図。
【図３２】第８実施形態におけるスクリーンの概略構成を示す断面図。
【図３３Ａ】ピッチ保持部材の構成を示す正面図。
【図３３Ｂ】ピッチ保持部材の構成を示す側面図。
【図３４Ａ】ピッチ保持部材をスクリーン本体に組み込む工程を示す第１の図。
【図３４Ｂ】ピッチ保持部材をスクリーン本体に組み込む工程を示す第２の図。
【図３４Ｃ】ピッチ保持部材をスクリーン本体に組み込む工程を示す第３の図。
【図３４Ｄ】ピッチ保持部材をスクリーン本体に組み込む工程を示す第４の図。
【図３５】第９実施形態におけるスクリーンの概略構成を示す図。
【図３６】第９実施形態におけるスクリーンの変形例を示す図。
【図３７】第９実施形態におけるスクリーンの変形例を示す図。
【図３８】断面視が平行四辺形をなす筒状体によって構成されるスクリーンを示す図。
【図３９】断面視が平行四辺形をなす筒状体によって構成されるスクリーンの折り畳み状態を示す図。
【図４０】断面視が平行四辺形をなす筒状体によって構成されるスクリーン（筒状体）の上側から見た図。
【図４１】断面視が平行四辺形をなす筒状体の断面図。
【図４２】第１０実施形態のスクリーンの概略構成を示す断面図。
【図４３】第１０実施形態の変形例を示す断面図。
【図４４】採光装置及び照明調光システムを備えた部屋モデルを示す図であって、図４５のＪ−Ｊ’線に沿う断面図。
【図４５】部屋モデルの天井を示す平面図。
【図４６】採光装置によって室内に採光された光（自然光）の照度と、室内照明装置による照度（照明調光システム）との関係を示すグラフ。
【発明を実施するための形態】
【００３８】
以下、本発明の実施形態につき、図面を参照して説明する。なお、以下の説明に用いる各図面では、各部材を認識可能な大きさとするため、各部材の縮尺を適宜変更している。
【００３９】
［第１実施形態］
図１は、第１実施形態におけるスクリーンの全体構成を示す斜視図である。図２は、複数の筒状体を有するスクリーンの要部を拡大して示す図である。図３は、筒状体の概略構成を示す図である。
【００４０】
以下の説明において、スクリーン（採光装置）１０の位置関係（上下、左右、前後）に基づくものとし、特に説明がない限りは、図面においてもスクリーン１０の位置関係は、紙面に対する位置関係と一致するものとする。
【００４１】
スクリーン１０は、図１に示すように、採光特性を有するスクリーン本体１１と、スクリーン本体１１を鉛直方向へ伸縮可能に保持する保持機構１２と、を備えている。
【００４２】
本実施形態のスクリーン本体１１は、折り畳み可能な筒状体１３が上下方向に複数連結されており、これら複数の筒状体１３の配列方向に折り畳み可能な構成とされている。複数の筒状体１３の各々には、配列方向に交差する方向に折り目Ｃｒが設けられている。
【００４３】
複数の筒状体１３は、互いに水平方向に平行に並ぶとともに、延在方向に交差する方向に互いに連結されている。筒状体１３は、内部が空洞とされており、延在方向に交差する断面形状が多角形とされている。具体的に、本実施形態における筒状体１３は、６つの面が、延在方向一方側から見たときに六角形状を形作るように構成されている。
【００４４】
なお、筒状体１３の延在方向に交差する断面形状は上記した六角形に限られず、例えば平行四辺形であってもよい。
【００４５】
また、図３に示すように、筒状体１３の断面において、Ｘ方向における下面６Ｆの幅寸法をＳ２とし、下面６Ｆに隣り合う面（側面）６Ｂの幅寸法をＳ１とすると、筒状体１３は、上記寸法比がＳ１／Ｓ２≦１の関係を満たすように構成されている。
【００４６】
筒状体１３は、断面における６つの頂部のうちの２つの頂部ｇ１、ｇ２が、他の筒状体１３との配列方向に交差する線状に位置する構成となっている。筒状体１３は、これら２つの頂部ｇ１、ｇ２を折り目Ｃｒにして折り畳まれることになる。
【００４７】
本実施形態の筒状体１３は、外部から入射した光を内部空間Ｋへ透過させる光透過領域Ｒ１と、内部空間Ｋへ透過した光を拡散させて外部空間（室内空間）へと透過させる光拡散領域Ｒ２と、を有している。さらに、筒状体１３は、遮光領域Ｒ３と光反射領域Ｒ４とを有している。
【００４８】
光透過領域Ｒ１は、外光が入射する窓側に位置し、上述した折り目となる一方の頂部ｇ１を形成する２つの面６Ａ，６Ｂ（第１部）からなる。光拡散領域Ｒ２は、外光を室内へ向けて射出させる室内側に位置し、上述した折り目となる他方の頂部ｇ２を形成する２つの面６Ｃ，６Ｄ（第２部）からなる。遮光領域Ｒ３は筒状体１３の上面６Ｅからなり、光反射領域Ｒ４は筒状体１３の下面６Ｆ（第３部）からなる。
【００４９】
光透過領域Ｒ１を構成する２つの面６Ａ，６Ｂは、光透過性を有する透明樹脂によって構成されている。透明樹脂としては、ＰＥＴ等の一般的な材料でよいが、折り目が付くように数十〜数百μｍの厚みを有する透明基材１８を用いることが望ましい。
【００５０】
光拡散領域Ｒ２を構成する２つの面６Ｃ，６Ｄは、光透過性樹脂１４内に複数の光拡散粒子１５を分散させてなる光拡散性基材１９によって構成されている。ここでも、光拡散性基材として数十〜数百μｍの厚みを有する基材を用いることが望ましい。
【００５１】
遮光領域Ｒ３を構成する上面６Ｅは、遮光部材１６を用いて構成されている。これにより、上面６Ｅにおける反射光を減らすことができる。例えば、下面６Ｆにおいて反射された光が上面６Ｅに入射して斜め下方に反射され、グレア光線となって室内に居る人の目に入るのを防ぐことができる。
【００５２】
光反射領域Ｒ４を構成する下面６Ｆは、光反射性を有する金属材１７等を用いて構成されている。下面６Ｆにおける光反射特性としては正反射性が強い方が好ましいため、金属材１７が好適である。
このように、筒状体１３どうしの連結部分に光反射性を付与することによって、下面６Ｆを透過して、他の筒状体１３へ進入する光を減らすことができる。
【００５３】
図１に戻り、保持機構１２は、スクリーン本体１１を上下方向へ伸縮可能に保持するもので、支持ボックス２１、昇降部材２２及び昇降コード２３を備えている。支持ボックス２１は、スクリーン本体１１を吊り下げるためのものである。昇降部材２２は、スクリーン本体１１の下端部に沿って支持ボックス２１と平行に取り付けられており、スクリーン１０の開閉に合わせて上下方向へ移動する。昇降コード２３は、一端側が昇降部材２２に支持されるとともに他端側が支持ボックス２１及びコード引出部２４を介して外部へ引き出されている。なお、昇降コードは必ずしも外に出す必要はない。使用者が昇降コード２３を操作することによって、スクリーン１０の開閉を行える。
【００５４】
図４は、筒状体１３を上面側から見た図である。図５Ａは、スクリーンの使用時を示し、図５Ｂは、スクリーンの収納時を示す。
昇降コード２３は、筒状体１３の上面６Ｅ及び下面６Ｆにそれぞれ設けられた各コード通し孔２５に挿通され、鉛直に延びている。コード通し孔２５は、昇降コード２３の直径よりも大きい穴径であればよい。本実施形態では、平面視正方形状のコード通し孔２５が設けられているが、コード通し孔２５の平面形状はこれに限らない。
【００５５】
次に、筒状体の作製方法について述べる。
図６Ａは、筒状体を構成する基材を示す斜視図であり、図６Ｂは、筒状体の材料となる基材を示す側図であり、図６Ｃは、基材によって作製される筒状体を示す断面図である。
本実施形態では筒状体１３を作製するにあたり、図６Ａに示すような４つの異なる光学領域（Ｒ１〜Ｒ４）を有した基材３１を用意する。光学領域（Ｒ１〜Ｒ４）は、基材３１の６つの面６Ａ〜６Ｆに対応する。基材３１には、各面６Ａ〜６Ｆの間にそれぞれ折り曲げ線Ｉが設けられている。
【００５６】
基材３１は、光透過領域Ｒ１を構成する透明基材１８と、光拡散領域Ｒ２を構成する光拡散性基材１９と、遮光領域Ｒ３を構成する遮光部材１６と、光反射領域Ｒ４を構成する金属材１７と、によって構成された一枚板である。
【００５７】
図７は、筒状体を構成する基材を示す図である。
図７に示すように、実際には、ＰＥＴなどの透明樹脂によって形成された基材１８０上に、光拡散シート１９０、遮光シート１６０、反射シート１７０をそれぞれの領域に設けることによって、各光学性能を基材に付与している。この際、各光学シートを基材上に貼り付けたり蒸着したりすることで設けることが多い。
【００５８】
上述した基材３１を各領域（Ｒ１〜Ｒ４）の配列方向（短手方向）へ丸めていき、長手方向に交差する断面形状が六角形の筒状となるように、平面６Ａ〜６Ｅが並ぶ基材３１の短手方向両端側を接着することによって、本実施形態の筒状体１３が完成する。
【００５９】
筒状体１３の上面６Ｅは遮光部材１６からなり、下面６Ｆは金属材１７からなる。筒状体１３の光透過領域Ｒ１側の側面６Ａ，６Ｂは一つの透明基材１８からなる。光拡散領域Ｒ２側の側面６Ｃ，６Ｄは、光拡散性基材１９からなる。
【００６０】
上述した第１実施形態のスクリーンの光学特性について図２、図３及び図８を用いて説明する。
図８は、第１実施形態のスクリーンの光学特性について説明するための図である。
本実施形態のスクリーン１０に入射した太陽光は、図２及び図３に示すように、筒状体１３の光透過領域Ｒ１を構成する面６Ａから内部空間Ｋへ透過して下面６Ｆへと入射する。下面６Ｆに入射した光は、当該下面６Ｆを構成する金属材１７において全反射されて内部空間Ｋ内を斜め上方へ向かって進行し、光拡散領域Ｒ２を構成する面６Ｃにおいて等方的に拡散されて室内の天井（外部空間）へ向けて射出される。
【００６１】
また、図８に示すように、スクリーン１０に入射した太陽光のうち、筒状体１３の面６Ｂから入射した光は、下面６Ｆの金属材１７で全反射された後、上面６Ｅに入射する。上面６Ｅに入射した光は遮光部材１６において吸収される。これにより、上面６Ｅにおいて反射されて筒状体１３から斜め下方へグレア光線（図中の破線矢印）が射出されるのを抑えることができる。
【００６２】
従来のスクリーンでは、断熱性を重視した構成となっていたため、スクリーンの素材として、綿、麻、絹などの天然素材、ポリエステル、アクリル等の合成繊維、レーヨン等の再生繊維がよく使用されていた。いずれの素材も繊維状であるため光拡散性が強く、光の透過率が高くない。そのため、太陽光がスクリーンの表面で室外側へ反射されてしまったり、室内へ入射した場合でも、天井を照射することなく作業面を直接照射してしまうことがあった。このようなことから、室内へ採光する光の質、光量ともに快適な採光環境を得ることが難しかった。
【００６３】
本実施形態のスクリーン１０では、筒状体１３に光反射性及び光拡散性を付与したことで、採り入れた外光（太陽光）を部屋の天井方向に効率良く導くことができるとともに、より多くの光を天井方向へ射出させることができる。このため、スクリーン１０をすべて下した状態でも室内の明るい環境を実現でき、昼間の消費電力を抑えることが可能である。また、筒状体１３には光吸収性も付与されていることから、部屋の中にいる人に眩しさを感じてしまうグレア光線を抑えることができる。
【００６４】
また、上述したように筒状体１３のアスペクト比はＳ１／Ｓ２≦１である。つまり、スクリーン１０の前後方向（Ｘ方向）に横長な形状となっており、筒状体１３の光透過領域Ｒ１から入射した光は光反射領域Ｒ４において反射されやすくなる。反射光の多くは光拡散領域Ｒ２において拡散されて室内へと射出する。一方で、反射光のうち上方へ向かう光は、遮光領域Ｒ３において吸収されることになる。筒状体の上面において反射された光は斜め下方へ向かう光となりグレアになり易いが、本実施形態の筒状体１３の上面には遮光性が付与されているため、グレアになる光を吸収することが可能である。
【００６５】
このようなスクリーン１０により、室内へ採光する光の質及び光量ともに快適な採光環境を実現することができる。
また、スクリーン１０を構成している各筒状体１３が中空形状とされているため、断熱効果が得られ、冬季の暖房費の節約にもつながる。
【００６６】
上記では、複数の異なる光学領域を有する基材によって筒状体を製造する方法について述べたが、これに限られず、種々の形状例及び製造例が考えられる。
以下に、複数の筒状体を一度に作製してスクリーン本体を製造する方法について述べる。
【００６７】
（変形例１のスクリーン本体）
図９Ａは変形例１のスクリーン本体の作製方法を示す図、図９Ｂは変形例１のスクリーン本体の概略構成を示す図である。
図９Ａに示すように、複数の筒状体２８を有するスクリーン本体１１が２つの異なる基材２６，２７によって構成されていてもよい。
【００６８】
第１基材２６は、光透過領域Ｒ１を構成する透明基材１８と、遮光領域Ｒ３を構成する遮光部材１６と、を有する。第２基材２７は、光拡散領域Ｒ２を構成する光拡散性基材１９と、光反射領域Ｒ４を構成する金属材１７と、を有する。これら第１基材２６及び第２基材２７どうしを、互いの開口側を組み合わせて接着することによって、複数の筒状体２８を有するスクリーン本体１１を作製できる。このとき、筒状体２８の内部空間Ｋが、光透過領域Ｒ１、光拡散領域Ｒ２、遮光領域Ｒ３及び光反射領域Ｒ４によって囲まれるように、各基材２６，２７を組み合わせる。
【００６９】
（変形例２のスクリーン本体）
図１０Ａは変形例２のスクリーン本体の作製方法を示す図、図１０Ｂは変形例２のスクリーン本体の概略構成を示す図である。
図１０Ａに示すように、複数の筒状体２９を有するスクリーン本体１１が２つの異なる基材３２，３３によって構成されていてもよい。
【００７０】
第１基材３２は、光透過領域Ｒ１を構成する透明基材１８と、遮光領域Ｒ３を構成する複数の遮光部材１６と、を有する。透明基材１８は、筒状体２９の上面６Ｅあるいは下面６Ｆを構成する複数の対向部位１８Ａを有した構成とされている。遮光部材１６は、上下方向で対向する対向部位１８Ａのうちの一方の内面に設けられている。
【００７１】
第２基材３３は、光拡散領域Ｒ２を構成する光拡散性基材１９と、光反射領域Ｒ４を構成する複数の金属材１７と、を有する。光拡散性基材１９は、筒状体の上面６Ｅあるいは下面６Ｆを構成する複数の対向部位１９Ａを有した構成とされている。金属材１７は、上下方向で対向する対向部位１９Ａのうちの一方の内面に設けられている。
【００７２】
これら第１基材３２及び第２基材３３どうしを、互いの対向側を組み合わせて接着することによって、複数の筒状体２９を有するスクリーン本体１１を作製できる。具体的には、透明基材１８の対向部位１８Ａの他面側、つまり遮光部材１６が設けられていない面上に、光拡散性基材１９の対向部位１９Ａを重ね合わせる。このように、筒状体２９の内部空間Ｋが、光透過領域Ｒ１、光拡散領域Ｒ２、遮光領域Ｒ３及び光反射領域Ｒ４によって囲まれるように、各基材３２，３３を組み合わせる。
【００７３】
（変形例３のスクリーン本体）
図１１Ａは変形例３のスクリーン本体を構成する筒状体の材料を示す図、図１１Ｂは変形例３のスクリーン本体の概略構成を示す図である。
図１１Ａに示すように、光透過領域Ｒ１、光拡散領域Ｒ２及び光反射領域Ｒ４を有する一枚の基材３９によって形成される筒状体４０を、複数連結して備えたスクリーン本体１１であってもよい。
【００７４】
（筒状体における光拡散領域の材料例）
筒状体１３の光拡散領域Ｒ２の材料として、光拡散性を有する繊維部材を用いてもよい。
また、上述した透明基材の表面に光拡散塗料を塗布してもよいし、透明基材の表面に凹凸形状を形成して光拡散性を付与してもよい。塗膜を形成したり凹凸を付与したりする場合は加工が必要になるため手間がかかるが、繊維部材よりも光透過率が高く、光の拡散制御性を期待できるという利点がある。
【００７５】
［第２実施形態］
次に、本発明の第２実施形態のスクリーンについて説明する。
以下に示す本実施形態のスクリーンの基本構成は、上記第１実施形態と略同様であるが、筒状体の構成が異なる。よって、以下の説明では、筒状体の構成について詳しく説明し、共通な箇所の説明は省略する。また、説明に用いる各図面において、図１〜図７と共通の構成要素には同一の符号を付すものとする。
【００７６】
図１２は、第２実施形態のスクリーン本体の一部を拡大して示す断面図である。図１３Ａは採光部材の構成を示す斜視図、図１３Ｂは採光部の構成を示す断面図である。
【００７７】
図１２に示すように、本実施形態のスクリーン本体４１を構成する筒状体４２は、延在方向に交差する断面形状が六角形であるものの、第１実施形態の筒状体とはアスペクト比が異なっている。筒状体４２の断面において、筒状体４２の配列方向に垂直な下面の寸法をＳ２、下面に隣り合う側面の寸法をＳ１とすると、筒状体４２の寸法比が、Ｓ１／Ｓ２＞１である。
【００７８】
また、本実施形態のスクリーン本体４１を構成する筒状体４２は、図１２に示すように、光透過領域Ｒ１、光拡散領域Ｒ２、遮光領域Ｒ３及び光反射領域Ｒ４を有しており、光透過領域Ｒ１及び光拡散領域Ｒ２を構成する各材料が先の実施形態とは異なっている。
【００７９】
本実施形態における筒状体４２の光透過領域Ｒ１は、採光特性を有する採光部材７によって構成されている。採光部材７は、図１３Ａに示すように、基材８と、複数の採光部９と、空隙部４と、を備える。基材８は、光透過性を有する材料で構成されている。複数の採光部９は、光透過性を有する材料で構成され、基材８の第１面１０ａに設けられている。空隙部４は、複数の採光部９の間に設けられている。
【００８０】
本実施形態では、スクリーンの室外（窓）側、つまり筒状体４２の外表面に採光部材７が設けられているが、これに限られることはない。例えば、筒状体４２の内側（内部空間Ｋ）側に採光部材７を設けてもよい。また、複数の採光部９の向きも図示したものに限らない。本実施形態では、複数の採光部９が窓側へ向いているが、内部空間Ｋ側へ向けて設けてもよい。
【００８１】
基材８は、１００μｍ以上の厚みを有することが望ましい。
基材８は、熱可塑性樹脂や熱硬化性樹脂、光重合性樹脂等の光透過性樹脂から構成されている。光透過性樹脂としては、アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等からなるものを用いることができる。その中でも、例えば、ポリメタクリル酸メチル樹脂（ＰＭＭＡ）、トリアセチルセルロース（ＴＡＣ）、ポリエチレンテレフタレート（ＰＥＴ）、シクロオレフィンポリマー（ＣＯＰ）、ポリカーボネート（ＰＣ）、ポリエチレンナフタレート（ＰＥＮ）、ポリエーテルサルホン（ＰＥＳ）、ポリイミド（ＰＩ）等を好適に用いることができる。基材８の全光線透過率は、ＪＩＳ  Ｋ７３６１−１の規定で９０％以上が好ましい。これにより、十分な透明性を得ることができる。
【００８２】
採光部９の材料としては、熱可塑性樹脂や紫外線硬化性樹脂が挙げられる。例えば、アクリル樹脂やエポキシ樹脂、シリコーン樹脂等の光透過性および感光性を有する有機材料で構成されている。これらの有機材料に、重合開始剤、カップリング剤、モノマー、有機溶媒等を混合したものが用いられる。重合開始剤は、安定剤、禁止剤、可塑剤、蛍光増白剤、離型剤、連鎖移動剤、他の光重合性単量体等のように、各種の添加成分を含んでいてもよい。その他、特許第４１２９９９１号公報に記載の材料を用いることができる。採光部９の全光線透過率は、ＪＩＳ  Ｋ７３６１−１の規定で９０％以上が好ましい。これにより、十分な透明性が得られる。
【００８３】
複数の採光部９は、窓ガラスに対向した状態において、筒状体４２の延在方向（Ｙ軸方向）に延在し、かつ、基材８の短手方向に並んで設けられている。採光部９は、断面形状が多角形状のプリズム体で構成されている。図１３Ｂに示すように、採光部９は、例えば長手方向に直交する断面形状において６つの頂部を有し、頂角の全てが１８０°未満の六角形である。採光部９の各面９Ａ〜９Ｆのうち、頂部ｑ３を通る第１面９Ａに垂直な平面Ｆよりも下方に位置する第４面９Ｄ、第５面９Ｅ、第６面９Ｆが、第２面９Ｂ、第３面９Ｃから入射した光を反射する反射面として機能する。
【００８４】
なお、本実施形態では、採光部９の断面形状が多角形となっているが、曲線部分を有していてもよい。また、筒状体４２の光透過領域Ｒ１では、面６Ａと面６Ｂとの傾斜方向が異なるため、各面６Ａ，６Ｂに設ける採光部９の形状を互いに異ならせてもよい。この際、図１５に示すように、光拡散領域Ｒ２の各面６Ｃ，６Ｄから射出される光が互いに平行になるように、光透過領域Ｒ１側に形成する微細形状を設計する必要がある。
なお、各面６Ａ，６Ｂに採光部９を設ける構成の場合、使用時におけるスクリーン本体４１の形態として、筒状体４２の配列方向（上下方向）に対する面６Ａ，６Ｂの傾斜角度βが、３０°以下となるように構成されていることが好ましい。さらには２０°以下であるとより好ましい。これにより、スクリーン本体４１に入射した光の多くを採光機能によって斜め上方へ屈折させることができる。
【００８５】
隣り合う採光部９の間の空間である空隙部４には空気が存在しているため、採光部９の表面は、採光部９を構成する樹脂材料と空気との界面となる。空隙部４は、空気以外の他の低屈折率材料で充填してもよい。しかしながら、採光部９と空隙部４との界面の屈折率差は、空隙部４にいかなる低屈折率材料が存在する場合よりも空気が存在する場合に最大となる。
【００８６】
採光部９は、アクリル樹脂によって形成されていることが望ましい。また、基材８の屈折率と採光部９の屈折率とは略同等であることが望ましい。その理由は、例えば、基材８の屈折率と採光部９の屈折率とが大きく異なる場合、光が採光部９から基材８に入射したときに、採光部９と基材８との界面で不要な光の反射が生じることがある。この場合、輝度が低下するなどの不具合が生じる虞があるからである。
【００８７】
採光部材７の作製方法としては、例えば、フォトリソグラフィー技術を用いて基材８の上に複数の採光部９を形成することができる。もしくは、フォトリソグラフィー技術を用いる方法以外にも、溶融押し出し法や型押し出し法、インプリント法などの方法により、採光部材７を製造することができる。溶融押し出し法や型押し出し法などの方法では、基材８と複数の採光部９とは同一の樹脂によって一体に形成される。
【００８８】
図１６は、筒状体の光拡散領域の構成を示す斜視図である。
本実施形態における筒状体４２の光拡散領域Ｒ２は、図１２に示すように、異方性光拡散特性を有する異方性光拡散部材４４によって構成されている。図１６に示すように、異方性光拡散部材４４は、基材４５の第１面４５ａに、略一方向に延在する複数の凸部４６を備えたスジ状の微細構造を有する。異方性光拡散部材４４は、複数の凸部４６の延在方向が筒状体４２の延在方向と直交し、各凸部４６が平行に並んでいる構造を有する。これにより、光拡散領域Ｒ２から射出された光が、部屋の上下方向（図１２に示すＺ方向）よりも部屋の左右方向（図１２に示すＹ方向）に強く拡散されることになる。
【００８９】
次に、スクリーン本体を透過する光の光路について図１２及び図１４を用いて説明する。
図１４は、採光部材を透過する光の光路を示す図である。
光透過領域Ｒ１の採光部材７に入射する光の大部分は太陽から直接入射する光である。
そのため、図１２に示すように、光Ｌは、主に筒状体４２の斜め上方から入射して、採光部材７に入射する。採光部材７に入射した光Ｌは、図１４に示すように、採光部９に入射角θinで入射した後、屈折および反射して、斜め上方に向けて射出角θoutで射出する。
具体的に、採光部材７に入射した光は、例えば採光部９の第３面９Ｃにおいて屈折して第５面９Ｅに向かって進み、第５面９Ｅで反射して第１面９Ａ側から内部空間Ｋへ射出され、光拡散領域Ｒ２へ向かって進む。光Ｌは、光拡散領域Ｒ２において拡散されて室内へと射出される。
【００９０】
本実施形態のスクリーン本体４１によれば、筒状体４２の光透過領域Ｒ１に微細構造を設けて採光機能を付与したことにより、光透過領域Ｒ１に入射した光の略全てを室内へと採光させることが可能となる。筒状体４２に採光機能が付与されていない場合、側面６Ａ、６Ｂのうち下側の側面６Ｂに入射した光の一部は、側面６Ｂを透過した後に反射領域Ｒ４において反射され、遮光領域Ｒ３において吸収される。本実施形態の場合には、側面６Ｂに入射した光の多くを採光機能によって斜め上方へ屈折させて光拡散領域Ｒにおいて拡散射出させることが可能である。このため、室内への採光性を高めて明るい環境を得ることが可能となる。
【００９１】
また、本実施形態においては、図１２に示したように筒状体４２のアスペクト比がＳ１／Ｓ２＞１である。つまり、スクリーン本体４１の上下方向（Ｙ方向）で縦長な形状となっており、微細構造を有する筒状体４２の面６Ａと面６Ｂとにおいて斜め上方へ向けて屈折された光が筒状体４２の遮光領域Ｒ３に入射して吸収されてしまうのを低減させることができる。これにより、筒状体に入射した外光の多くを室内へと採光させることができる。
【００９２】
また、先の実施形態のように等方的に射出光を拡散させる構成の場合、部屋の床へ向かって光が拡散されてしまうためグレアとなるおそれがある。これに対して、本実施形態では、筒状体４２の光拡散領域Ｒ２に異方性光拡散特性を付与したことにより、各筒状体４２から射出する光を、部屋の上下方向よりも部屋の左右方向（水平方向）へ強く拡散させることができる。そのため、スクリーン本体４１から射出される光を天井へ向けて効率よく射出させることが可能となり、室内に居る人の目に直接届くグレアを防止することができる。
【００９３】
なお、筒状体４２の光拡散領域Ｒ２に異方性光拡散特性を付与するためには、上述した疑似ストライプ構造の他、レンチキュラーレンズ構造、光拡散粒子構造体等が挙げられる。
【００９４】
（変形例１の筒状体）
図１７は、筒状体の光拡散領域における構造の変形例１を示す斜視図である。
図１７に示すように、レンチキュラーレンズ構造の異方性光拡散部材４７を採用してもよい。異方性光拡散部材４７は、複数のシリンドリカルレンズ部４８が規則的に配列されたレンチキュラーレンズ構造体４９で構成されている。複数のシリンドリカルレンズ部４８は、個々のシリンドリカルレンズ部４８が筒状体４２の延在方向（Ｙ方向）に交差する方向に延びており、筒状体４２の延在方向に互いに平行に配列されている。異方性光拡散部材４７は、レンチキュラーレンズ構造体４９の平面４９ｂ側が筒状体４２の室内空間側に向けられている。
【００９５】
なお、レンチキュラーレンズ構造体４９の設置方向は上述した方向に限られず、レンチキュラーレンズ構造体４９の平面４９ｂ側が外部空間側に向くように筒状体４２に設けられていてもよい。
【００９６】
シリンドリカルレンズ部４８の凸面４８ａは、部屋の上下方向に平行な鉛直面内では曲率を有しておらず、部屋の左右方向に平行な鉛直面内で曲率を有している。したがって、シリンドリカルレンズ部４８は、部屋の左右方向の拡散性が部屋の上下方向の拡散性よりも強い。逆に言えば、シリンドリカルレンズ部４８は、部屋の上下方向の拡散性が部屋の左右方向の拡散性よりも弱い。
【００９７】
（変形例２の筒状体）
図１８は、筒状体の光拡散領域における構造の変形例２を示す斜視図である。
図１８に示すように、光拡散粒子構造の異方性光拡散部材５０を採用してもよい。異方性光拡散部材５０は、媒体となる光透過性樹脂層５１内に、ファイバー状もしくは楕円体状の複数の光拡散粒子５２が部屋の上下方向に配列が揃うように、分散された構成となっている。光拡散粒子５２は、長軸と短軸とを有する異方性形状とされ、光透過性樹脂層５１とは屈折率の異なる材料からなる。複数の光拡散粒子５２が光拡散因子となって、光透過性樹脂層５１に入射した光線を部屋の左右方向（水平方向）へ強く拡散させて射出させることができる。
【００９８】
［第３実施形態］
次に、本発明の第３実施形態のスクリーンについて説明する。
以下に示す本実施形態のスクリーンの基本構成は、上記第２実施形態と略同様であるが、筒状体の光射出側の側面の一部に光吸収性が付与されている点において異なる。よって、以下の説明では、筒状体の構成について詳しく説明し、共通な箇所の説明は省略する。
また、説明に用いる各図面において、図１〜図７と共通の構成要素には同一の符号を付すものとする。
【００９９】
図１９は、第３実施形態のスクリーン本体の一部を拡大して示す断面図である。図２０は、第３実施形態の筒状体を構成する基材を示す斜視図である。
図１９に示すように、本実施形態のスクリーン本体５３は、複数の筒状体５４を有して構成されている。筒状体５４は、採光部材７からなる側面６Ａ，６Ｂ、異方性光拡散部材４４からなる側面６Ｃ、光吸収性部材５５からなる側面６Ｄ、遮光部材１６からなる上面６Ｅ及び金属材１７からなる下面６Ｆにより構成されている。
【０１００】
本実施形態では、筒状体５４が、内部空間Ｋへ入射した光の一部を吸収する光吸収領域をさらに有している点に特徴を有する。具体的には、筒状体５４の側面６Ｄに光吸収性が付与されている。
【０１０１】
光吸収性部材５５は、筒状体５４の内部空間Ｋに入射した光の一部、いわゆるグレアになる光を吸収するためのものである。光吸収性部材５５は、遮光部材１６と同じ光吸収率であってもよいし、遮光部材１６よりも低い光吸収率であってもよい。
また、先の実施形態と同様に、側面６Ａと側面６Ｂとに形成する微細形状を互いに異ならせてもよい。
【０１０２】
図２０は、第３実施形態の筒状体を構成する基材を示す斜視図である。
本実施形態では、筒状体５４を製造するにあたり、図２０に示すような５つの異なる光学領域（Ｒ１〜Ｒ５）を有した基材５６を用意する。光学領域（Ｒ１〜Ｒ５）は、基材５６の５つの面６Ａ〜６Ｆに対応する。基材５６には、各面６Ａ〜６Ｆの間にそれぞれ折り曲げ線Ｉが設けられている。
【０１０３】
基材５６は、光透過領域Ｒ１を構成する採光部材７と、光反射領域Ｒ４を構成する金属材１７と、光吸収領域Ｒ５を構成する光吸収性部材５５と、光拡散領域Ｒ２を構成する異方性光拡散部材４４と、遮光領域Ｒ３を構成する遮光部材１６と、によって構成された一枚板である。
【０１０４】
上述した基材５６を各領域（Ｒ１〜Ｒ４）の配列方向（短手方向）へ丸めていき、長手方向に交差する断面形状が六角形の筒状となるように、基材５６の短手方向両端側を接着することによって、本実施形態の筒状体５４が完成する。
【０１０５】
筒状体５４の上面６Ｅは遮光部材１６からなり、下面６Ｆは金属材１７からなる。筒状体５４の光透過領域Ｒ１側の２つの側面６Ａ，６Ｂは、微細構造を有する一つの採光部材７によって構成されている。上述したように、側面６Ａ，６Ｂごとに微細構造における採光部の形状を異ならせてもよい。側面６Ｃは異方性光拡散部材４４からなり、側面６Ｄは光吸収性部材５５からなっている。
【０１０６】
本実施形態のスクリーン本体５３に入射した光は、筒状体５４における光透過領域Ｒ１の微細構造によって角度が変更されて、光拡散領域Ｒ２から拡散光として射出される。光透過領域Ｒ１を透過した光のうち斜め下方へ向かう光は、室内に居る人に眩しさを感じさせる光、いわゆるグレア光線となってしまう。この光を光吸収性部材５５において吸収することによって、良好な室内環境とすることができる。
【０１０７】
（第３実施形態の変形例）
図２１Ａ及び図２１Ｂは、第３実施形態におけるスクリーン本体の変形例を示す図であって、図２１Ａはスクリーン本体の作製方法を示す図、図２１Ｂは変形例であるスクリーン本体の概略構成を示す図である。
図２１Ａに示すように、複数の筒状体を有するスクリーン本体が２つの異なる基材によって構成されていてもよい。
第１基材５７は、透明基材１８と遮光部材１６とによって構成されている。第２基材５８は、金属材１７、異方性光拡散部材４４及び光吸収性部材５５により構成されている。
これら第１基材５７及び第２基材５８どうしを、図２１Ｂに示すように互いの対向側を組み合わせて接着することによって、複数の筒状体５９を有するスクリーン本体５３を作製できる。具体的には、第１基材５７の遮光部材１６上に第２基材５８の金属材１７を重ね合わせるようにして接着する。このように、筒状体５９の内部空間Ｋが、光透過領域Ｒ１、光拡散領域Ｒ２、遮光領域Ｒ３、光反射領域Ｒ４及び光吸収領域Ｒ５によって囲まれるように、各基材５７，５８を組み合わせる。
【０１０８】
上述したスクリーンを使用する際、スクリーンの使用面積が大きくなるほど自重の影響を受けやすくなる。
図２２は、自重の影響を受けたスクリーンの全体を示す図である。
図２２に示すスクリーン２００のように、スクリーン本体２０１を引き出した状態にすると、自重によって各筒状体２０２の断面形状が引き出し方向（Ｚ方向）で異なってしまう傾向がある。すなわち、上側に位置する筒状体２０２ほど自重によって上下方向に延びやすく、下側に位置する筒状体２０２は逆に縮みやすい。
【０１０９】
図２２に示すように、スクリーン上部側の筒状体２０２どうしの折り目ピッチＰ１は中央部分の筒状体２０２どうしの折り目ピッチＰよりも広い。また、スクリーン下部側の筒状体２０２どうしの折り目ピッチＰ２は中央部分の筒状体２０２どうしの折り目ピッチＰよりも狭くなっており、Ｐ２＜Ｐ＜Ｐ１の状態となっている。
【０１１０】
この結果、スクリーン本体２０１から射出される光の出射角度がスクリーン本体２０１の上下方向でばらついてしまう。これを補正するために、スクリーン本体２０１の上下方向で、各筒状体２０２に設ける微細構造の形状を変更してもよい。これにより、各筒状体２０２の間で採光性能にバラつきが生じるのを低減することができる。
【０１１１】
なお、本実施形態に限らず第２実施形態においても同様に、スクリーン本体の上下方向で、各筒状体に設ける微細構造の形状を変更してもよい。
【０１１２】
［第４実施形態］
次に、第４実施形態のスクリーンについて述べる。
先に述べた各実施形態では１つのスクリーン本体を有した構成であったが、本実施形態では光学特性の異なる２つのスクリーン本体を有したツインタイプとなっている。
【０１１３】
図２３は、第４実施形態のスクリーンの概略構成を示す斜視図である。
本実施形態のスクリーン６０は、図２３に示すように、採光スクリーン本体（第１のスクリーン本体）６１と、機能性スクリーン本体（第２のスクリーン本体）６２と、中間部材６３と、保持機構６５と、を備えて構成されている。
【０１１４】
採光スクリーン本体６１は、複数の筒状体６４が互いに連結されてなり、外光を室内へ取り込む採光特性を有する。採光スクリーン本体６１としては、先に述べた各実施形態におけるスクリーン本体のいずれかを採用することができる。
【０１１５】
機能性スクリーン本体６２は、採光スクリーン本体６１とは異なる特性を有しており、採光性、遮光性、紫外線吸収性、防火性、遮熱性、防汚性のうちの少なくとも一つの機能が付与されている。機能性スクリーン本体６２の基本的な構造は採光スクリーン本体６１と同様であり、複数の筒状体６４を互いに連結して構成されている。機能性スクリーン本体６２は、採光機能の有無に関わらず、上記したいずれかの特性が付与されている。
【０１１６】
採光スクリーン本体６１及び機能性スクリーン本体６２は、それぞれが窓２の略全体を覆うサイズを有していることが望ましく、上下方向における長さが、窓２の上下方向長さと略同様かそれ以上であることが好ましい。なお、各スクリーン本体６１，６２のサイズはこれに限られることではなく、適宜設定が可能である。
【０１１７】
中間部材６３は、採光スクリーン本体６１と機能性スクリーン本体６２との間に、支持ボックス２１と平行に取り付けられている。中間部材６３が窓２の上下方向略中央に位置した状態では、採光スクリーン本体６１及び機能性スクリーン本体６２の下部側がそれぞれ折り畳まれた状態となっている。
【０１１８】
保持機構６５は、昇降コード２３と調光コード３０とを備えている。中間部材６３には、昇降コード２３を挿通させるための不図示のコード通し孔が一つあるいは複数形成されている。
【０１１９】
昇降コード２３は、一端側が、採光スクリーン本体６１、機能性スクリーン本体６２及び中間部材６３にそれぞれ形成された不図示のコード通し孔を介して昇降部材２２に支持され、他端側がコード引出部２４を介して外部へ引き出されている。
昇降コード２３は、昇降部材２２を上下移動させることによって、スクリーン６０の全体の伸縮動作を行うものである。
【０１２０】
調光コード３０は、一端側が、採光スクリーン本体６１に形成された上記コード通し孔を介して中間部材６３の上面６３ａに支持されているとともに、他端側は、支持ボックス２１の開口２１Ａを通じて外部へ引き出されている。
調光コード３０は、中間部材６３を上下移動させることによって、採光スクリーン本体６１と機能性スクリーン本体６２との面積の割合を調整するものである。
【０１２１】
図２３では、中間部材６３がスクリーン６０全体の上下方向の略中央に位置した状態を示しており、採光スクリーン本体６１と機能性スクリーン本体６２とにおける伸縮の割合が略等しい。
本実施形態のスクリーン６０では、昇降部材２２が最下位に位置する状態から、昇降コード２３を引っ張ることによって、機能性スクリーン本体６２と採光スクリーン本体６１とが順次下から折り畳まれながら、昇降部材２２とともに上昇する。この際、先ず下側の機能性スクリーン本体６２が先に折り畳まれ、続けて、採光スクリーン本体６１が折り畳まれることになる。昇降コード２３は不図示のストッパーにより固定される。逆に、ストッパーによる昇降コード２３の固定を解除することによって昇降部材２２を自重により降下させることができる。これにより、昇降部材２２を再び最下部に位置させることができる。
【０１２２】
また、中間部材６３が上下方向の略中央に位置した状態から調光コード３０を引っ張ることによって、採光スクリーン本体６１の筒状体が折り畳まれて中間部材６３の上に重なり合いながら中間部材６３とともに上昇する。中間部材６３の上昇とともに採光スクリーン本体６１の面積が狭くなり、機能性スクリーン本体６２の面積が拡がって行く。この調光コード３０においても不図示のストッパーによって固定される。
【０１２３】
ストッパーによる調光コード３０の固定を解除することによって、中間部材６３を自重により降下させると、折り畳まれていた採光スクリーン本体６１が広げられ、機能性スクリーン本体６２が折り畳まれていく。
【０１２４】
このように、中間部材６３の位置を変えることによって、特性の異なる２つのスクリーン本体６１，６２の面積を自由に調整することが可能となっている。
【０１２５】
本実施形態のスクリーン６０によれば、機能性スクリーン本体６２の機能を適宜選択し、採光スクリーン本体６１と任意に組み合わせることによって、ユーザーが所望とする特性を得ることができる。
【０１２６】
組合せの例として、採光スクリーン本体６１と、遮熱性を有する機能性スクリーン本体６２と、を組み合わせた場合、採光機能を確保しつつ、夏場の強い太陽の日差しを遮ることが可能となる。
例えば、冬季は採光スクリーン本体６１を伸ばして採光面積をなるべく大きくし、積極的に太陽光を採光することが可能である。また、夏季は強い太陽の日差しを遮るために採光スクリーン本体６１を折り畳み、遮熱性を有する機能性スクリーン本体６２を伸ばしておくことによって遮熱効果を得ることができる。
【０１２７】
また、他の組み合わせの例として、採光スクリーン本体６１と、遮光性を有する機能性スクリーン本体６２とを組み合わせた場合、採光機能を確保しつつ、グレア光線を遮光することが可能となる。部屋の奥行き長さによって、床へ向かって射出された光線がグレア光線になるかどうかが変わってくる。そのため奥行きの狭い部屋では、奥行の広い部屋よりも採光面積を大きく確保することが可能となる。
【０１２８】
［第５実施形態］
次に、第５実施形態のスクリーンについて述べる。
本実施形態では、光学特性の異なる３つのスクリーン本体を有したトリプルタイプとなっている。
【０１２９】
図２４は、第５実施形態のスクリーンの概略構成を示し斜視図である。
本実施形態のスクリーン７０は、図２４に示すように、第１のスクリーン本体７１と、第２のスクリーン本体７２と、第３のスクリーン本体７３と、２つの中間部材６３Ａ，６３Ｂと、を備えて構成されている。一方の中間部材６３Ａは、スクリーン本体７１，７２の間に配置され、他の中間部材６３Ｂは、第２のスクリーン本体７２と第３のスクリーン本体７３との間に配置されている。
【０１３０】
第１のスクリーン本体７１としては、例えば、第２実施形態で述べた微細構造を有するスクリーン本体４１を採用することができる。
第２のスクリーン本体７２としては、例えば、第１実施形態で述べたスクリーン本体１１を採用することができる。
第３のスクリーン本体７３としては、第４実施形態で述べた遮光性を有した機能性スクリーン本体６２を採用することができる。第３のスクリーン本体７３は、遮光性、紫外線吸収性、防火性、耐熱性、防汚性のうちの少なくとも一つの機能を有している。本実施形態では、遮光性を有するスクリーン本体を採用する。
【０１３１】
第１のスクリーン本体７１とその下端側に位置する中間部材６３Ａとには調光コード７４が接続され、第２のスクリーン本体７２とその下端側に位置する中間部材６３Ｂとの間には調光コード７５が接続されている。
【０１３２】
本実施形態のスクリーン７０では、調光コード７４を操作して上位の中間部材６３Ａの上下方向における位置を変えることによって、第１のスクリーン本体７１と第２のスクリーン本体７２との面積の割合を調整することができる。また、調光コード７５を操作して下位の中間部材６３Ｂの上下方向における位置を変えることによって、第２のスクリーン本体７２と第３のスクリーン本体７３との面積の割合を調整することができる。
【０１３３】
ところで、スクリーン７０を透過する光の光量は、太陽の高度が大きく影響する。そのため、入射角度によってはスクリーン７０の上部側に太陽光が入射しない領域が生じる場合がある。この場合、窓近傍の天井部分には光が照射されにくく、他の領域よりも暗くなることがある。なるべく室内の天井全体を略均一に照射できることが望ましい。また、太陽高度の影響だけでなく、窓サッシなどによって太陽光の一部が遮られることもある。
【０１３４】
本実施形態では、スクリーン７０の最上位に微細構造を有した第１のスクリーン本体７１が配置されている。太陽光が入射する領域まで第１のスクリーン本体７１を拡げることによって、窓近傍の天井部分にも光を射出させることが可能になる。さらに、第１のスクリーン本体７１の微細構造をスクリーンの上下方向で異ならせておけば、第１のスクリーン本体７１からの射出角度をスクリーンの上下方向で変化させることができるので、天井に対する射出光の照射範囲を広げることが可能である。これにより、明るい室内環境を得ることができる。
【０１３５】
なお、異なる光学特性を有する３つのスクリーン本体を適宜選択して組み合わせることによって、ユーザーが所望とする特性を得ることができる。
図２５Ａに示すように、本実施形態のスクリーン７０は、第１のスクリーン本体７１（以下、採光スクリーン本体７１とする。）、第２のスクリーン本体７２（以下、採光スクリーン本体７２とする。）および遮光性を有するスクリーン本体７３（遮光性スクリーン本体７３とする。）が上から順に配列されているが、これに限らない。各スクリーン本体７１，７２，７３の配置位置を適宜変更してもよい。
【０１３６】
例えば、図２５Ｂに示すように、採光スクリーン本体７１と採光スクリーン本体７２との間に遮光性スクリーン本体７３を配置してもよい。
また、図２５Ｃに示すように、スクリーンの中央位置に、各筒状体の全体が透明基材によって構成されたシースルータイプのスクリーン本体７６を配置した構成としてもよい。
【０１３７】
また、図２５Ｄに示すように、スクリーンの中央位置に、遮熱性を有したスクリーン本体７７（以下、遮熱性スクリーン本体７７という。）を配置した構成としてもよい。
このスクリーン本体７７は、太陽光を僅かに透過する。これにより、日差しの強い夏季では、図２６Ａのように、遮光性スクリーン本体７３を折り畳んで窓の下側部分にまで遮熱性のスクリーン本体７７を大きく広げておくことで、採光性を確保するとともに高い遮熱効果を得ることができる。これにより、明るく快適な室内環境が得られる。
【０１３８】
また、日差しの弱い冬季では、なるべく多くの光及び熱を室内へ採り入れたい。そのため、図２６Ｂに示すように採光スクリーン本体７１のみを拡げ、それ以外の遮光性スクリーン本体７３及び遮熱性スクリーン本体７７を折り畳んで窓２の一部を露出させておくことが望ましい。
【０１３９】
また春秋の時期では、図２６Ｃに示すように適度に光と熱を室内へ採り入れたいため、遮熱性スクリーン本体７７を折り畳んでおくことが望ましい。
このように、季節に応じて使用するスクリーンを選択し、ユーザーが所望とする特性を得ることができる。
なお、採光スクリーン７１の下端が室内に居る人の目線よりも上に位置するように構成する。これにより、室内の天井を明るく照射することができるとともに、採光した光がグレア光線として人の目に入り、眩しさを感じさせるのを防ぐことができる。
【０１４０】
［第６実施形態］
次に、第６実施形態のスクリーンについて述べる。
図２７は、第６実施形態におけるスクリーンの全体を示す図である。図２７は、筒状体の構成を示す図である。
先の実施形態では、筒状体の断面形状が配列方向に交差する方向で対称的な形状となっていたが、本実施形態では非対称な形状とされている点において異なる。
【０１４１】
なお、筒状体の断面形状以外のスクリーン本体としての基本的な構造は、第１〜第３実施形態で述べたいずれかのスクリーン本体の構造を採用することが可能である。
【０１４２】
本実施形態のスクリーン８０は、図２７に示すように、スクリーン本体８１を構成する筒状体８２の断面形状が、複数の筒状体８２の配列方向に交差する方向（Ｘ方向）で異なっている。つまり、窓側と室内側とで筒状体８２の断面形状が異なる。
【０１４３】
具体的には、図２８に示すように、筒状体８２の光透過領域Ｒ１を構成する一対の側面６Ａ，６Ｂどうしがなす角度θ１の方が、光拡散領域Ｒ２を構成する一対の側面６Ｃ，６Ｄどうしがなす角度θ２よりも大きい。角度θ１を大きくすることで、筒状体８２の窓側の形状を垂直に近づけることができる。これにより、側面６Ａと側面６Ｂとの間の採光性能のバラつきを低減させることができる。
【０１４４】
先の実施形態で述べたように、断面における筒状体の形状が配列方向に交差する方向で対称的である場合、スクリーン本体を伸ばしたときに自重の影響を受けやすくなる。つまり、スクリーン本体の上側に位置する筒状体ほど自重によって伸びてしまい、変形しやすい。
【０１４５】
これに対して本実施形態のスクリーン８０では、断面における筒状体８２の形状が配列方向に交差する方向で非対称的な形状となっている。筒状体８２の光透過領域Ｒ１側の折り目部分の角度θ１が、光拡散領域Ｒ２側の折り目部分の角度θ２よりも大きい角度とされているため、光透過領域側に主に自重がかかることになる。しかしながら、もともと角度θ１が１８０°に近い角度となっているため自重による変形は少ない。僅かに光透過領域Ｒ１側が変形したとしても、その変形が光拡散領域Ｒ２側には影響しにくい。
【０１４６】
このように本実施形態のスクリーン８０によれば、スクリーン本体８１が自重の影響を受けにくくなり、上下方向での筒状体８２どうしの変形を低減させることができる。その結果、室内側の外観を保ちつつ、筒状体８２における室外側の傾斜を垂直に近づけ、室外側を構成する側面６Ａ，６Ｂの上下の採光ばらつきを低減できる。
このように、上下方向における筒状体８２どうしのピッチを保持できることから、長年使用しても外観を損ないにくいという効果が得られる。
【０１４７】
［第７実施形態］
次に、第７実施形態のスクリーンについて述べる。
本実施形態のスクリーンは、フレームを備えた構成とされている。
なお、本実施形態におけるスクリーン本体として、第１〜第３実施形態で述べたいずれかのスクリーン本体を採用することが可能である。
【０１４８】
図２９は、第７実施形態のスクリーンの概略構成を部分的に拡大して示す斜視図であって、スクリーンを下側から見上げた図である。
本実施形態のスクリーン９０は、図２９に示すように、スクリーン本体９１と、スクリーン本体を保持するとともにスクリーン本体９１の少なくとも幅方向両側に設けられたフレーム９２と、スクリーン本体９１を鉛直方向へ伸縮可能に保持する保持機構１２と、を備えている。
【０１４９】
ここで、スクリーンの前側を室内側とし、スクリーンの後ろ側を窓側とする。フレーム９２は、スクリーン本体９１の前後方向（厚さ方向）を挟み込むような凹部形状をなしており、スクリーン端部９１ａを挿入可能とする。
【０１５０】
フレーム９２の凹部９３の開口幅Ｗ１は、スクリーン本体９１の下端部に沿って設けられた昇降部材２２の板幅Ｗ２よりも若干大きい寸法とされている。これにより、フレーム９２の延在方向に沿って昇降部材２２がスムーズに移動できる。
【０１５１】
また、スクリーン本体９１の前後方向（Ｘ方向）への移動は、フレーム９２の第１板部９２Ａと第２板部９２Ｂとによって規制される。これにより、スクリーンの昇降時におけるがたつきを防止することができる。
また、スクリーン本体９１をフレーム９２によって固定することにより、スクリーンからの光の射出方向が安定し、グレアを抑えることが可能である。
【０１５２】
なお、フレーム９２の構造は上述したような凹部形状に限らない。
【０１５３】
（変形例）
図３０は、第７実施形態のスクリーンの変形例を示す斜視図である。
フレームの他の構成例として、スライドレール付きフレーム構造が挙げられる。
例えば、図３０に示すように、スクリーン本体９１の両側に配置される板材９５と、板材９５の中央部分に設けられかつ板材９５の長さ方向に延在するスライドレール９６と、を備えるフレーム９４を用いてもよい。
【０１５４】
ここでは、昇降部材２２の長さ方向両端側にそれぞれ溝部２２ａを形成しておく。スクリーン本体９１及び保持機構１２（昇降部材２２）をフレームに組み込む際には、昇降部材２２の各溝部２２ａ内にスライドレール９６をそれぞれ挿入させる。
【０１５５】
昇降部材２２の溝部２２ａとスライドレール９６との嵌合状態が維持されたまま、昇降部材２２がスライドレール９６に沿って昇降することになる。このような構成によっても、スクリーン本体９１及び昇降部材２２の厚さ方向（Ｘ方向）への移動をフレーム９４のスライドレール９６によって規制することができ、フレーム昇降時のがたつきを防止できる。
【０１５６】
［第８実施形態］
次に、第８実施形態のスクリーンについて述べる。
本実施形態では、スクリーン本体の折り目ピッチを保持するピッチ保持部材をさらに備えた点において、先の実施形態とは異なる。
なお、本実施形態におけるスクリーン本体として、第１〜第３実施形態で述べたいずれかのスクリーン本体を採用することが可能である。
【０１５７】
図３１は、第８実施形態におけるスクリーンの概略構成を示す斜視図である。図３２は、第８実施形態におけるスクリーンの概略構成を示す断面図である。図３３Ａは、ピッチ保持部材の構成を示す正面図、図３３Ｂは側面図である。
【０１５８】
本実施形態のスクリーン１００は、図３２に示すように、スクリーン本体１０１と、保持機構１０２と、を備えて構成されている。
【０１５９】
保持機構１０２は、スクリーン本体１０１を吊り下げる支持ボックス２１と、スクリーン本体１０１の下端部に設けられた昇降部材２２と、昇降部材２２を上下方向へ昇降させる昇降コード２３と、スクリーン本体１０１の折り目のピッチを保持する一対のピッチ保持部材（保持部材）１０３と、を備えている。一対のピッチ保持部材１０３は、スクリーン本体１０１の幅方向（Ｙ方向）に間隔をおいて配置されている。
【０１６０】
ピッチ保持部材１０３は、一端が支持ボックス２１に支持され、他端が昇降部材２２に支持された支持コード１０３Ａと、支持コード１０３Ａの長さ方向に等間隔に配置された複数の係止部１０３Ｂと、を有する。なお、支持コード１０３Ａの下端側は、昇降部材２２に支持されていなくてもよい。
【０１６１】
ピッチ保持部材１０３は、図３１及び図３２に示すように、昇降コード２３とともにスクリーン本体１０１の各筒状体１０４に設けられたコード通し孔２５に挿通されている。
係止部１０３Ｂは、コード通し孔２５の直径よりも大きい形状のため、筒状体１０４の底部に係止する。なお、図３１ではコード通し孔２５の図示を省略し、図３２では昇降コード２３の図示を省略している。
【０１６２】
本実施形態では、ピッチ保持部材１０３と昇降コード２３とを共にコード通し孔２５に挿通させているが、ピッチ保持部材１０３の挿通位置は必ずしも昇降コード２３と同じにする必要はない。
【０１６３】
支持コード１０３Ａは、スクリーン本体１０１の折り畳み時の妨げにならないような、柔軟性を有する部材から構成されている。支持コード１０３Ａには紐状部材が用いられ、スクリーンの折り畳み動作に支障のないものとする。
一方、係止部１０３Ｂは、筒状体１０４の底部に係止して下側から筒状体１０４を支えるものであるため、ある程度剛性を有する部材が用いられる。
【０１６４】
複数の係止部１０３Ｂは、図３３Ａ，図３３Ｂに示すように、支持コード１０３Ａの延在方向に対して略垂直な姿勢で設けられている。本実施形態では、図３２に示すように複数の筒状体１０４の断面において、これらの配列方向に交差する方向（Ｘ方向）に沿うように係止部１０３Ｂが設けられているが、これに限らない。例えば、筒状体１０４の延在方向に沿って係止部１０３Ｂを設けてもよい。
【０１６５】
係止部１０３Ｂは、支持コード１０３Ａの延在方向に対して略垂直な姿勢ではあるが、実際には表面１０３ａ側へ若干傾斜した姿勢となっている。本実施形態では、係止部１０３Ｂが表面１０３ａ側へ弾性変形可能である一方、裏面１０３ｂ側へは変形しない構成とされている。詳しくは後述するが、このような構成とすることで、組み立て時にスクリーン本体１０１にピッチ保持部材１０３を挿通させることが可能である。
【０１６６】
図３４Ａ〜図３４Ｄは、ピッチ保持部材をスクリーン本体に組み込む工程を示す図である。
図３４Ａに示すように、先ず、スクリーン本体１０１を折り畳み、各筒状体１０４のコード通し孔２５にガイドコード１０７を挿通させる。
次に、図３４Ｂに示すように、治具１０６を用いて、スクリーン本体１０１を拡げた状態で各筒状体１０４の位置および形状を固定する。
次に、図３４Ｃに示すように、ガイドコード１０７の一端側にピッチ保持部材１０３を連結し、他端側を引っ張ることによって、ピッチ保持部材１０３をスクリーン本体１０１内に挿通させる。この際、ピッチ保持部材１０３の係止部１０３Ｂが筒状体１０４に当接して、表面１０３ａ側へ弾性変形しながらコード通し孔２５を通過する。
図３４Ｄに示すように、係止部１０３Ｂは、コード通し孔２５を通過すると元の状態へと戻り、通過したコード通し孔２５を再び通過することはできない。
このようにして、スクリーン本体１０１にピッチ保持部材１０３を挿通させる。
【０１６７】
本実施形態の構成によれば、ピッチ保持部材１０３の係止部１０３Ｂによって筒状体１０４を下から支えることにより、筒状体１０４の形状が保持されて、上下方向に配列された筒状体１０４のピッチ、すなわち折り目のピッチが維持される。このように、スクリーン本体１０１にピッチ保持部材１０３を組み込むことで、筒状体１０４どうしの間で採光機能にバラつきが生じるのを防ぐことができる。
【０１６８】
なお、本実施形態では、スクリーン１００の幅方向に２つのピッチ保持部材１０３を設けたが、これに限らず、１つだけ設けてもよいし、３つ以上設けてもよい。スクリーン１００のサイズによって適宜設定することが望ましい。
【０１６９】
［第９実施形態］
次に、第９実施形態のスクリーンについて述べる。
本実施形態では、スクリーン本体の表面に化粧フィルムを貼り付けた点において、先の実施形態とは異なる。
なお、本実施形態におけるスクリーン本体として、第１〜第３実施形態で述べたいずれかのスクリーン本体を採用することが可能である。
【０１７０】
図３５は、第９実施形態におけるスクリーンの概略構成を示す図である。
本実施形態のスクリーン１１０は、図３５に示すように、スクリーン本体１０１と、その表面の一部に貼り合わされた化粧フィルム１０８と、を備えて構成されている。化粧フィルム１０８として用いる材料は、採光のために透過性を有していることが必要である。
化粧フィルム１０８は、裏面側の不図示の粘着層を介してスクリーン本体１０１の室内側の側面１０１ａに貼り合わされている。化粧フィルム１０８は、スクリーン本体１０１の側面１０１ａを構成する、上下方向に配列された複数の筒状体１０４の側面６Ｃ，６Ｄを覆うようにして設けられている。
【０１７１】
本実施形態においては、化粧フィルム１０８として、和紙のような風合いを有する和紙調フィルムを採用した。これにより、無機質になりがちなスクリーン１１０の外観を和らげることができる。
【０１７２】
また、化粧フィルム１０８としては上記和紙調フィルムに限られず、例えば木目調や石目調などのフィルムを採用してもよい。種々の風合いを醸し出せるフィルムを採用することによって、室内の雰囲気を変えることができる。  
【０１７３】
なお、スクリーン本体１０１の室内側の側面１０１ａだけでなく、図３６に示すように窓側の側面１０１ｂにも化粧フィルム１０８を貼り合せてもよい。スクリーンの表裏に化粧フィルム１０８を設けることで、室内側だけでなく室外側からの見た目も変化させることができる。
【０１７４】
また、図３７に示すように、予め一面側に化粧フィルム１０８が貼り合わされた基材１０９を用いて筒状体１０４を作製してもよい。
【０１７５】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。各実施形態の構成を適宜組み合わせてもよい。
【０１７６】
先の述べた各実施形態では、筒状体の延在方向に交差する断面形状が六角形とされているが、例えば平行四辺形であってもよい。
【０１７７】
図３８は、断面視が平行四辺形をなす筒状体によって構成されるスクリーンを示す図である。図３９は、スクリーンの折り畳み状態を示す図である。図４０は、スクリーン（筒状体）の上側から見た図である。図４１は、筒状体の断面図である。
【０１７８】
図３８に示すスクリーン１２０は、延在方向に交差する断面形状が平行四辺形をなす筒状体１２１を、上下方向に多数連結してなるスクリーン本体１２２を備えている。
【０１７９】
配列方向で隣り合う筒状体１２１どうしは、一方の筒状体１２１が他方の筒状体１２１とは反対向きに傾斜した姿勢で連結されており、これら筒状体１２１どうしの連結部分にスクリーン本体１２２の折り目Ｃｒが形成されている。本実施形態では、隣り合う筒状体１２１どうしの傾斜姿勢が互いに相反していることから、上下方向に存在する多数の折り目Ｃｒがスクリーン１２０の前後に交互に存在する。このようなスクリーン本体１２２は、図３９に示すようにジグザグ状に折り畳み可能である。
【０１８０】
スクリーン本体１２２は、筒状体１２１の一辺に沿って昇降コード２３の位置が変化しながら折り畳まれることになる。そのため筒状体１２１には、図４０に示すように昇降コード２３を挿通させるコード通し孔１２３がスリット状に形成されている。
【０１８１】
筒状体１２１は、図４０に示すように、外部から入射した光を内部空間Ｋへ透過させる光透過領域Ｒ１と、内部空間Ｋへ透過した光を拡散させて外部空間（室内空間）へと透過させる光拡散領域Ｒ２と、内部空間Ｋへ透過した光を反射させて斜め上方へ射出させる光反射領域Ｒ４と、光反射領域Ｒ４において反射された光を吸収する遮光領域Ｒ３と、を有している。
【０１８２】
筒状体１２１は、図４１に示すように、４つの面１２１Ａ，１２１Ｂ，１２１Ｃ，１２１Ｄより構成されている。
光透過領域Ｒ１となる側面１２１Ａは透明基材１８からなり、光拡散領域Ｒ２となる側面１２１Ｂは上述した光拡散性基材１９からなる。また、遮光領域Ｒ３となる上面１２１Ｃは遮光部材１６からなり、光反射領域Ｒ４となる下面１２１Ｄは金属材１７からなる。
上述したコード通し孔１２３は、側面１２１Ａの幅方向に沿って設けられている。
【０１８３】
このようなスクリーン構造においても、上述した第１実施形態と同様に、室内へ採光する光の質及び光量ともに快適な採光環境を実現することができる。
【０１８４】
また、上記構成に限られず、側面１２１Ａに採光部材を用いた筒状体１２１としてもよい。この場合には、スクリーンの上下方向で採光性能のバラつきをなくすため、隣り合う筒状体１２１どうしの採光部材の微細形状を互いに異ならせることが好ましい。さらに、採光部材を用いる場合は、図４１に示すように、筒状体１２１のアスペクト比が大きい（Ｓ１／Ｓ２＞１）方が好ましい。
逆に、採光部材を用いない構成とする場合は、筒状体のアスペクト比が小さい（Ｓ１／Ｓ２≦１）方が好ましい。
【０１８５】
また、ツインタイプおよびトリプルタイプのスクリーン構造における採光スクリーン本体としても採用することができる。
【０１８６】
以上、第１〜第９実施形態では、複数の筒状体によって構成されたスクリーンについて述べたが、スクリーンの形態はこれに限られず、他の形態であってもよい。
【０１８７】
例えば、採光機能が付与されたスクリーンの場合は、筒状体の下面で反射させなくても採光部材の微細形状によって斜め上方（天井）へ向けて光を屈折させることができるため、必ずしも筒状体を有した構成にする必要がない。例えば、プリーツタイプのスクリーンであってもよい。
【０１８８】
［第１０実施形態］
次に、第１０実施形態のプリーツタイプのスクリーンについて述べる。
図４２は、第１０実施形態のスクリーンの概略構成を示す断面図である。
図４２に示すように、本実施形態のスクリーン１３０は、一対の蛇腹状の採光フィルム１３１（第１部）及び光拡散フィルム１３２（第２部）によって構成されるスクリーン本体１３３を備えている。
【０１８９】
採光フィルム１３１は、上述した採光部材を用いて構成され、その全体が採光領域（光透過領域）とされている。採光部材は、採光フィルム１３１の第１面１３１ａ及び第２面１３１ｂのいずれか一方に形成されている。光拡散フィルム１３２は、光拡散部材を用いて構成され、その全体が光拡散領域とされている。
【０１９０】
各フィルム１３１，１３２には、上下方向（Ｚ方向）に所定の間隔をおいて複数の折り目Ｃｒが設けられている。フィルム１３１，１３２の各々は、これら複数の折り目Ｃｒによって蛇腹状とされており、一体的に折り畳み可能である。
【０１９１】
フィルム１３１，１３２は、互いの第２面１３１ｂ、１３２ｂ側を向き合わせた状態で間隔をおいて対向配置されている。フィルム１３１，１３２は、各々の上端側が保持機構１２の支持ボックス２１に取り付けられ、各々の下端側が昇降部材２２に取り付けられている。これらフィルム１３１，１３２、支持ボックス２１及び昇降部材２２によって囲まれた空間が内部空間Ｋであり、この内部空間Ｋを介してフィルム１３１，１３２が対向配置されている。
スクリーン本体１３３は、昇降部材２２を上昇させることによって下から順に折り畳まれる。
【０１９２】
ここで、使用時におけるスクリーン本体１３３の形態として、スクリーン本体１３３の折り畳み方向（Ｚ方向）に対するフィルム１３１の側面１３１Ａの傾斜角度βは、３０°以下となるように構成されていることが好ましい。さらには２０°以下であるとより好ましい。これにより、採光フィルム１３１に入射した光の多くを採光機能によって斜め上方へ屈折させて、光拡散フィルム１３２へと入射させることができる。
【０１９３】
本実施形態のように、採光機能が付与されたスクリーン１３０の場合、設計された使用時の長さにまで完全に広げて使用するか、全て折り畳むかのどちらかにして使用することが好ましい。仮に、スクリーン１３０を半分まで折り畳んだ状態で使用すると、フィルム１３１の側面１３１Ａの傾斜が設計と異なる角度となり、グレア光線が生じてしまう。そのため、スクリーン本体１３３を全開あるいは全閉状態にしか変化できないような機能を保持機構１２に付与することが好ましい。
【０１９４】
（変形例）
図４３は、第１０実施形態の変形例を示す断面図である。
図４３に示すスクリーン１３４のように、採光フィルム１３１の第２面１３１ｂと、光拡散フィルム１３２の第１面１３２ａと、を向き合わせて構成してもよい。
【０１９５】
［照明調光システム］
図４４は、採光装置及び照明調光システムを備えた部屋モデルを示す図であって、図４５のＪ−Ｊ’線に沿う断面図である。図４５は、部屋モデル２０００の天井を示す平面図である。
【０１９６】
部屋モデル２０００において、外光が導入される部屋２００３の天井２００３ａを構成する天井材は、高い光反射性を有していてもよい。図４４及び図４５に示すように、部屋２００３の天井２００３ａには、光反射性を有する天井材として、光反射性天井材２００３Ａが設置されている。光反射性天井材２００３Ａは、窓２００２に設置された採光装置２０１０からの外光を室内の奥の方に導入することを促進することを目的とするもので、窓際の天井２００３ａに設置されている。具体的には、天井２００３ａの所定の領域Ｅ（窓２００２から約３ｍの領域）に設置されている。
【０１９７】
この光反射性天井材２００３Ａは、先に述べたように、採光装置２０１０（上述したいずれかの実施形態の採光装置）が設置された窓２００２を介して室内に導入された外光を室内の奥の方まで効率よく導く働きをする。採光装置２０１０から室内の天井２００３ａへ向けて導入された外光は、光反射性天井材２００３Ａで反射され、向きを変えて室内の奥に置かれた机２００５の机上面２００５ａを照らすことになり、当該机上面２００５ａを明るくする効果を発揮する。
【０１９８】
光反射性天井材２００３Ａは、拡散反射性であってもよいし、鏡面反射性であってもよいが、室内の奥に置かれた机２００５の机上面２００５ａを明るくする効果と、室内に居る人とって不快なグレア光線を抑える効果を両立するために、両者の特性が適度にミックスされたものが好ましい。
【０１９９】
このように、採光装置２０１０によって室内に導入された光の多くは、窓２００２の付近の天井に向かうが、窓２００２の近傍は光量が十分である場合が多い。そのため、上記のような光反射性天井材２００３Ａを併用することによって、窓付近の天井（領域Ｅ）に入射した光を、窓際に比べて光量の少ない室内の奥の方へ振り分けることができる。
【０２００】
光反射性天井材２００３Ａは、例えば、アルミニウムのような金属板に数十ミクロン程度の凹凸によるエンボス加工を施したり、同様の凹凸を形成した樹脂基板の表面にアルミのような金属薄膜を蒸着したりして作成することができる。あるいは、エンボス加工によって形成される凹凸がもっと大きな周期の曲面で形成されていてもよい。
【０２０１】
さらに、光反射性天井材２００３Ａに形成するエンボス形状を適宜変えることによって、光の配光特性や室内における光の分布を制御することができる。例えば、室内の奥の方に延在するストライプ状にエンボス加工を施した場合は、光反射性天井材２００３Ａで反射した光が、窓２００２の左右方向（凹凸の長手方向に交差する方向）に拡がる。部屋２００３の窓２００２の大きさや向きが限られているような場合は、このような性質を利用して、光反射性天井材２００３Ａによって光を水平方向へ拡散させるとともに、室内の奥の方向へ向けて反射させることができる。
【０２０２】
採光装置２０１０は、部屋２００３の照明調光システムの一部として用いられる。照明調光システムは、例えば、採光装置２０１０と、複数の室内照明装置２００７と、窓に設置された日射調整装置２００８と、これらの制御系と、天井２００３ａに設置された光反射性天井材２００３Ａと、を含む部屋全体の構成部材から構成される。
【０２０３】
部屋２００３の窓２００２には、上部側に採光装置２０１０が設置され、下部側に日射調整装置２００８が設置されている。ここでは、日射調整装置２００８として、ブラインドが設置されているが、これに限らない。
【０２０４】
部屋２００３には、複数の室内照明装置２００７が、窓２００２の左右方向（Ｙ方向）および室内の奥行き方向（Ｘ方向）に格子状に配置されている。これら複数の室内照明装置２００７は、採光装置２０１０と併せて部屋２００３の全体の照明システムを構成している。
【０２０５】
図４４及び図４５に示すように、例えば、窓２００２の左右方向（Ｙ方向）の長さＬ１が１８ｍ、部屋２００３の奥行方向（Ｘ方向）の長さＬ２が９ｍのオフィスの天井２００３ａを示す。ここでは、室内照明装置２００７は、天井２００３ａの横方向（Ｙ方向）及び奥行方向（Ｘ方向）に、それぞれ１．８ｍの間隔Ｐをおいて格子状に配置されている。
より具体的には、５０個の室内照明装置２００７が１０行（Ｙ方向）×５列（Ｘ方向）に配列されている。
【０２０６】
室内照明装置２００７は、室内照明器具２００７ａと、明るさ検出部２００７ｂと、制御部２００７ｃと、を備え、室内照明器具２００７ａに明るさ検出部２００７ｂ及び制御部２００７ｃが一体化されて構成されたものである。
【０２０７】
室内照明装置２００７は、室内照明器具２００７ａ及び明るさ検出部２００７ｂをそれぞれ複数ずつ備えていてもよい。但し、明るさ検出部２００７ｂは、各室内照明器具２００７ａに対して１個ずつ設けられる。明るさ検出部２００７ｂは、室内照明器具２００７ａが照明する被照射面の反射光を受光して、被照射面の照度を検出する。ここでは、明るさ検出部２００ｂによって、室内に置かれた机２００５の机上面２００５ａの照度を検出する。
【０２０８】
各室内照明装置２００７に１個ずつ設けられた制御部２００７ｃは、互いに接続されている。各室内照明装置２００７は、互いに接続された制御部２００７ｃにより、各々の明るさ検出部２００７ｂが検出する机上面２００５ａの照度が一定の目標照度Ｌ０（例えば、平均照度：７５０ｌｘ）になるように、それぞれの室内照明器具２００７ａのＬＥＤランプの光出力を調整するフィードバック制御を行っている。
【０２０９】
図４６は、採光装置によって室内に採光された光（自然光）の照度と、室内照明装置による照度（照明調光システム）との関係を示すグラフである。図４６において、縦軸は机上面の照度（ｌｘ）を示し、横軸は窓からの距離（ｍ）を示している。また、図中の破線は、室内の目標照度を示している。（●：採光装置による照度、△：室内照明装置による照度、◇：合計照度）
【０２１０】
図４６に示すように、採光装置２０１０により採光された光に起因する机上面照度は、窓近傍ほど明るく、窓から遠くなるに従ってその効果は小さくなる。採光装置２０１０を適用した部屋では、昼間において窓からの自然採光によりこのような部屋奥方向への照度分布が生じる。そこで、採光装置２０１０は、室内の照度分布を補償する室内照明装置２００７と併用して用いられる。室内天井に設置された室内照明装置２００７は、それぞれの装置の下の平均照度を明るさ検出部２００７ｂによって検出し、部屋全体の机上面照度が一定の目標照度Ｌ０になるように調光制御されて点灯する。従って、窓近傍に設置されているＳ１列、Ｓ２列はほとんど点灯せず、Ｓ３列、Ｓ４列、Ｓ５列と部屋奥方向に向かうに従って出力を上げながら点灯される。結果として、部屋の机上面は自然採光による照度と室内照明装置２００７による照明の合計で照らされ、部屋全体に亘って執務をする上で十分とされる机上面照度である７５０ｌｘ（「ＪＩＳ  Ｚ９１１０  照明総則」の執務室における推奨維持照度）を実現することができる。
【０２１１】
以上述べたように、採光装置２０１０と照明調光システム（室内照明装置２００７）とを併用することにより、室内の奥の方まで光を届けることが可能となり、室内の明るさをさらに向上させることができるとともに部屋全体に亘って執務をする上で十分とされる机上面照度を確保することができる。したがって、季節や天気による影響を受けずにより一層安定した明るい光環境が得られる。
【産業上の利用可能性】
【０２１２】
本発明の一態様は、高断熱性を保持しつつ高い採光効率が得られ、快適な室内環境を実現できる採光装置及びスクリーンなどに適用することができる。
【符号の説明】
【０２１３】
６Ａ，６Ｂ，６Ｃ，６Ｄ…筒状体の側面、１０１ａ，１０１ｂ…スクリーンの側面、９…採光部、Ｋ…内部空間、Ｌ…光、Ｐ，Ｐ１，Ｐ２…折り目のピッチ、１０，６０，７０，８０，９０，１００，１１０，２００…スクリーン（採光装置）、１１，４１，５３，６１，７１，７３，７６，７７，８１，９１，１０１，２０１…スクリーン本体、１２，６５，１０２…保持機構、１３，２８，２９，３４，３８，４０，４２，５４，５９，６４，８２，１０４，２０２…筒状体、６１…採光スクリーン本体（第１のスクリーン本体）、６２…機能性スクリーン本体（第２のスクリーン本体）、６３Ａ，６３Ｂ…中間部材、７１…第１のスクリーン本体、７２…第２のスクリーン本体、９２，９４…フレーム、Ｃｒ…折り目、Ｒ１…光透過領域、Ｒ２…光拡散領域、Ｒ３…遮光領域、Ｒ４…光反射領域、Ｒ５…光吸収領域、１０３…ピッチ保持部材（保持部材）、１０３ａ…表面、１０３Ｂ…係止部、１０８…化粧フィルム、２０１０…採光装置
【図１】
2016121679.tif 000003
【図２】
2016121679.tif 000004
【図３】
2016121679.tif 000005
【図４】
2016121679.tif 000006
【図５Ａ】
2016121679.tif 000007
【図５Ｂ】
2016121679.tif 000008
【図６Ａ】
2016121679.tif 000009
【図６Ｂ】
2016121679.tif 000010
【図６Ｃ】
2016121679.tif 000011
【図７】
2016121679.tif 000012
【図８】
2016121679.tif 000013
【図９Ａ】
2016121679.tif 000014
【図９Ｂ】
2016121679.tif 000015
【図１０Ａ】
2016121679.tif 000016
【図１０Ｂ】
2016121679.tif 000017
【図１１Ａ】
2016121679.tif 000018
【図１１Ｂ】
2016121679.tif 000019
【図１２】
2016121679.tif 000020
【図１３Ａ】
2016121679.tif 000021
【図１３Ｂ】
2016121679.tif 000022
【図１４】
2016121679.tif 000023
【図１５】
2016121679.tif 000024
【図１６】
2016121679.tif 000025
【図１７】
2016121679.tif 000026
【図１８】
2016121679.tif 000027
【図１９】
2016121679.tif 000028
【図２０】
2016121679.tif 000029
【図２１Ａ】
2016121679.tif 000030
【図２１Ｂ】
2016121679.tif 000031
【図２２】
2016121679.tif 000032
【図２３】
2016121679.tif 000033
【図２４】
2016121679.tif 000034
【図２５Ａ】
2016121679.tif 000035
【図２５Ｂ】
2016121679.tif 000036
【図２５Ｃ】
2016121679.tif 000037
【図２５Ｄ】
2016121679.tif 000038
【図２６Ａ】
2016121679.tif 000039
【図２６Ｂ】
2016121679.tif 000040
【図２６Ｃ】
2016121679.tif 000041
【図２７】
2016121679.tif 000042
【図２８】
2016121679.tif 000043
【図２９】
2016121679.tif 000044
【図３０】
2016121679.tif 000045
【図３１】
2016121679.tif 000046
【図３２】
2016121679.tif 000047
【図３３Ａ】
2016121679.tif 000048
【図３３Ｂ】
2016121679.tif 000049
【図３４Ａ】
2016121679.tif 000050
【図３４Ｂ】
2016121679.tif 000051
【図３４Ｃ】
2016121679.tif 000052
【図３４Ｄ】
2016121679.tif 000053
【図３５】
2016121679.tif 000054
【図３６】
2016121679.tif 000055
【図３７】
2016121679.tif 000056
【図３８】
2016121679.tif 000057
【図３９】
2016121679.tif 000058
【図４０】
2016121679.tif 000059
【図４１】
2016121679.tif 000060
【図４２】
2016121679.tif 000061
【図４３】
2016121679.tif 000062
【図４４】
2016121679.tif 000063
【図４５】
2016121679.tif 000064
【図４６】
2016121679.tif 000065
【国際調査報告】
2016121679.tif 000066
2016121679.tif 000067
2016121679.tif 000068
2016121679.tif 000069